(57)【特許請求の範囲】
【請求項１】
光源からの光の光路の側方位置で一方の面を該光路に向けて配置される地板と、前記地板のいずれか一方の面上に立設されている主軸と、前記主軸の立設されている面上において前記主軸の立設位置を通っていて前記光路の中心線と平行な仮想線から外れた位置に立設されている副軸と、前記主軸に回転可能に取り付けられている主作動部材と、前記主作動部材と一体であって前記主軸を中心にした円弧状の軌跡を描いて前記光路に進退させられる主分割羽根と、前記副軸に回転可能に取り付けられている副作動部材と、前記副作動部材と一体であって前記副軸を中心にした円弧状の軌跡を描いて前記光路に進退させられる副分割羽根と、一端部は前記主作動部材に回転可能に取り付けられており他端部は前記副軸からの距離が前記主軸から前記一端部の取付け位置までの距離よりも長い位置で前記副作動部材に回転可能に取り付けられているリンク部材と、を備えていて、前記主作動部材と前記副作動部材とは、電磁アクチュエータによって同じ方向に回転させられることによって、前記主分割羽根と前記副分割羽根との重なり量が変化するようにしたことを特徴とするプロジェクタ用絞り装置。
【請求項２】
前記主作動部材は、歯車部を有していて、該歯車部を、前記電磁アクチュエータによって回転させられる歯車に噛合させていることを特徴とする請求項１に記載のプロジェクタ用絞り装置。
【請求項３】
前記地板に回転可能に取り付けられていて前記電磁アクチュエータの回転に連動して所定の角度範囲内において往復回転させられる回転部材と、一端部は前記回転部材に回転可能に取り付けられ他端部は前記主作動部材に回転可能に取り付けられていて前記回転部材の往復回転によって前記主作動部材を所定の角度範囲内で往復回転させる主リンク部材と、を備えていることを特徴とする請求項１に記載のプロジェクタ用絞り装置。
【請求項４】
前記主作動部材と前記副作動部材とが合成樹脂製であり、前記主分割羽根と前記副分割羽根とが金属製であって、前記主分割羽根と前記副分割羽根は、それぞれ前記主作動部材と前記副作動部材に固定されていることを特徴とする請求項１乃至３のいずれかに記載のプロジェクタ用絞り装置。
【請求項５】
前記主軸と前記副軸とが、前記光路と直交する同一線上には存在しないようにして前記地板に立設されていることを特徴とする請求項１乃至４のいずれかに記載のプロジェクタ用絞り装置。
【請求項６】
前記主分割羽根と前記副分割羽根との重なり量が最小になったとき、前記光路は、それらの分割羽根によって遮断されるようにしたことを特徴とする請求項１乃至５のいずれかに記載のプロジェクタ用絞り装置。
【請求項７】
光源光の光路の側方位置で一方の面を該光路に向けて配置される地板と、前記地板のいずれか一方の面上において前記光路の中心軸と平行であって且つ該中心軸に最も近い仮想線を間にして該仮想線からの各々の距離が略同じとなる位置に立設されている第１主軸及び第２主軸と、前記二つの主軸の立設されている面上において前記仮想線を間にして該仮想線からの各々の距離が略同じであって且つ前記第１主軸及び前記第２主軸のそれぞれの立設位置までの距離よりも長い位置に立設された第１副軸及び第２副軸と、前記第１主軸及び前記第２主軸にそれぞれ回転可能に取り付けられていて駆動手段によって相反する方向へ同時に往復回転させられる第１主作動部材及び第２主作動部材と、前記第１主作動部材及び前記第２主作動部材にそれぞれ一体であって前記第１主軸及び前記第２主軸を中心にした円弧状の軌跡を描いて前記光路に進退させられる第１主分割羽根及び第２主分割羽根と、前記第１副軸及び前記第２副軸にそれぞれ回転可能に取り付けられた第１副作動部材及び第２副作動部材と、前記第１副作動部材及び前記第２副作動部材にそれぞれ一体であって前記第１副軸及び前記第２副軸を中心にした円弧状の軌跡を描いて前記光路に進退させられる第１副分割羽根及び第２副分割羽根と、各々の一端部は前記第１主作動部材及び前記第２主作動部材にそれぞれ回転可能に取り付けられており各々の他端部は前記第１副軸及び前記第２副軸からの距離がそれぞれ前記第１主軸及び前記第２主軸から前記各一端部の取付け位置までの距離よりも長い位置で前記第１副作動部材及び前記第２副作動部材にそれぞれ回転可能に取り付けられている第１リンク部材及び第２リンク部材と、を備えていて、前記第１副作動部材は、前記第１主作動部材の往復回転に伴い同じ方向に回転させられることによって、前記第１主分割羽根に対する前記第１副分割羽根の重なり量を変化させ、前記第２副作動部材は、前記第２主作動部材の往復回転に伴い同じ方向に回転させられることによって、前記第２主分割羽根に対する前記第２副分割羽根の重なり量を変化させるようにしたことを特徴とするプロジェクタ用絞り装置。
【請求項８】
前記第１主作動部材，前記第１副作動部材，前記第２主作動部材，前記第２副作動部材が合成樹脂製であり、前記第１主分割羽根，前記第１副分割羽根，前記第２主分割羽根，前記第２副分割羽根が金属製であって、前記第１主分割羽根，前記第１副分割羽根，前記第２主分割羽根，前記第２副分割羽根は、それぞれ、前記第１主作動部材，前記第１副作動部材，前記第２主作動部材，前記第２副作動部材に固定されていることを特徴とする請求項７に記載のプロジェクタ用絞り装置。
【請求項９】
前記第１主軸と前記第１副軸とが、前記光路と直交する同一線上には存在しないようにして前記地板に立設されており、また、前記第２主軸と前記第２副軸とが、前記光路と直交する同一線上には存在しないようにして前記地板に立設されており、前記第１副軸及び前記第２副軸は、前記第１主軸及び前記第２主軸に対して、前記光路に沿う同じ方向の位置に立設されていることを特徴とする請求項７又は８に記載のプロジェクタ用絞り装置。
【請求項１０】
前記第１主作動部材の、前記第１主軸への取付位置から前記第１主分割羽根までの距離が、前記第２主作動部材の、前記第２主軸への取付位置から前記第２主分割羽根までの距離と同じであり、また、前記第１副作動部材の、前記第１副軸への取付位置から前記第１副分割羽根までの距離が、第２副作動部材の、前記第２副軸への取付位置から前記第２副分割羽根までの距離と同じであるようにしたことを特徴とする請求項９に記載のプロジェクタ用絞り装置。
【請求項１１】
前記第１主作動部材の、前記第１主軸への取付位置から前記第１リンク部材の取付位置までの距離と、前記第２主作動部材の、前記第２主軸への取付位置から前記第２リンク部材の取付位置までの距離が同じであり、また、前記第１副作動部材の、前記第１副軸への取付位置から前記第１リンク部材の取付位置までの距離と、前記第２副作動部材の、前記第２副軸への取付位置から前記第２リンク部材の取付位置までの距離が同じであり、さらに、前記第１リンク部材の、前記第１主作動部材への取付位置から前記第１副作動部材の取付位置までの距離と、前記第２リンク部材の、前記第２主作動部材への取付位置から前記第２副作動部材の取付位置までの距離が同じであるようにしたことを特徴とする請求項７乃至１０のいずれかに記載のプロジェクタ用絞り装置。
【請求項１２】
前記第１主作動部材には歯車部が形成され、前記第２主作動部材には該歯車部に噛合する歯車部が形成されていて、前記駆動手段が一つの電磁アクチュエータであり、前記第１主作動部材と前記第２主作動部材とは、いずれか一方が前記電磁アクチュエータによって往復回転させられると、相反する方向へ回転させられるようにしたことを特徴とする請求項７乃至１１のいずれかに記載のプロジェクタ用絞り装置。
【請求項１３】
一端部は前記第１主作動部材に回転可能に取り付けられ他端部は前記第２主作動部材に回転可能に取り付けられている第３リンク部材を備えていて、前記駆動手段が一つの電磁アクチュエータであり、前記第１主作動部材と前記第２主作動部材とは、いずれか一方が前記電磁アクチュエータによって往復回転させられると、相反する方向へ回転させられるようにしたことを特徴とする請求項７乃至１１のいずれかに記載のプロジェクタ用絞り装置。
【請求項１４】
前記第１主作動部材の、前記第１主軸への取付位置から前記第３リンク部材の取付位置までの距離と、前記第２主作動部材の、前記第２主軸への取付位置から前記第３リンク部材の取付位置までの距離が同じであるようにしたことを特徴とする請求項１３に記載のプロジェクタ用絞り装置。
【請求項１５】
前記第１主作動部材と前記第２主作動部材のいずれか一方には、前記電磁アクチュエータによって回転させられる歯車に噛合させる歯車部が形成されていることを特徴とする請求項７乃至１４のいずれかに記載のプロジェクタ用絞り装置。
【請求項１６】
前記地板に回転可能に取り付けられていて前記電磁アクチュエータの往復回転に連動して所定の角度範囲内において往復回転させられる回転部材と、一端部は前記回転部材に回転可能に取り付けられ他端部は前記第１主作動部材に回転可能に取り付けられていて前記回転部材の往復回転によって前記第１主駆動部材を往復回転させる主リンク部材と、を備えていることを特徴とする請求項７乃至１４のいずれかに記載のプロジェクタ用絞り装置。
【請求項１７】
前記駆動手段が、互いに同期して相反する方向へ同時に往復回転させられる二つの電磁アクチュエータであって、前記第１主作動部材と前記第２主作動部材とは、各々の電磁アクチュエータによって、相反する方向へ同時に往復回転させられるようにしたことを特徴とする請求項７乃至１１のいずれかに記載のプロジェクタ用絞り装置。
【請求項１８】
前記第１副分割羽根と前記第２副分割羽根とは、前記光路から退く方向の端縁に沿った所定の幅の領域が、前記各主分割羽根とは重ならないようになっていて、それらの領域が前記各主分割羽根側に折り曲げられて形成されていることを特徴とする請求項７乃至１７のいずれかに記載のプロジェクタ用絞り装置。
【請求項１９】
前記第１主分割羽根と前記第１副分割羽根との重なり量が最小になり、且つ前記第２主分割羽根と前記第２副分割羽根との重なり量が最小になったとき、前記光路は、４枚の分割羽根によって遮断されるようにしたことを特徴とする請求項７乃至１８のいずれかに記載のプロジェクタ用絞り装置。
【請求項２０】
前記第１主分割羽根と前記第１副分割羽根との重なり量が最小になり、且つ前記第２主分割羽根と前記第２副分割羽根との重なり量が最小になったとき、前記第１主分割羽根に形成されている切欠部と、前記第２主分割羽根に形成されている切欠部とによって、前記光路の中心を囲む小さな光路が形成されるようにしたことを特徴とする請求項７乃至１８のいずれかに記載のプロジェクタ用絞り装置。
【発明の詳細な説明】
【技術分野】
【０００１】
本発明は、スクリーンに画像や文字を投影するプロジェクタに用いて好適な光源光用の絞り装置に関する。
【背景技術】
【０００２】
最近では、液晶パネル，ＤＭＤ（デジタルマイクロミラーデバイス）などを備えたプロジェクタが出現し、種々の発表会や営業などのプレゼンテーションに用いられているほか、ホームシアター用の機材としても採用されている。そして、この種のプロジェクタとしては、投影する室内の明るさに対応させて光源（ランプ）からの照明光量を変化させたり、何も投影していないときには一時的に照明光を弱くしたりするため、光源ランプの発光光量自体を変化させるのではなく、光源ランプの近傍位置に配置した絞り装置によって、光源光の光路面積を変化させ、光量を調整するようにしたものが、特開２００４−６９９６６に記載されている。【０００３】
また、特開２００６−３４３５１２には、何も投影していないときには光源光の光路を遮蔽することの可能なプロジェクタ用絞り装置が記載されている。そして、更に、そのような絞り装置を液晶プロジェクタに採用した場合は、何も投影していないときに、絞り装置によって一時的にでも照明光を弱くしたり遮断したりすると、液晶パネルの劣化を防止することが可能になるということも記載されている。【０００４】
また、特開２００４−６９９６６及び特開２００６−３４３５１２には、そのような絞り装置をプロジェクタに設けておき、投影画像の暗いシーンでは照明光量を減じ、明るいシーンでは照明光量を増加させるようにすると、スクリーン上で高コントラストの画像を得ることが可能になるということも記載されている。【０００５】
更に、投影光学系を変倍光学系としたオーバーヘッドプロジェクタの場合には、原稿を載せるためのステージと光源との間に絞り装置を配置すると、高倍率時における投影画像を好適に得ることが可能になることが、特開平８−２２７１０２に記載されている。また、特開平８−２２７１０２に記載の絞り装置と同様に、遮光羽根（遮光板，絞り板などともいう）を、光路に対する垂直な平面上で作動させるようにした絞り装置が、特開２００５−１５７１６２に記載されているが、この絞り装置の場合には、光路を全開にしているときの二つの遮光羽根の収容スペースを小さくするために、各々の遮光羽根を２枚ずつの分割羽根で構成するようにしている。【０００６】
また、特開２００４−６９９６６、特開２００６−３４３５１２、特開平８−２２７１０２、及び特開２００５−１５７１６２に記載されている絞り装置においては、二つの遮光羽根が、同時に相反する方向へ往復作動させられて、光路の面積を変化させるようにしている。そのため、光路が完全に遮断されない限り、光路の中心は、光路内に常に存在していることになる。しかしながら、プロジェクタの仕様によっては、一つの遮光羽根が、光路の一方の側方位置から、光路の中心を越えて、他方の側方位置へ向けて作動させられるようにし、他方の側方位置側で最小の光路が形成されるようにしたり、光路が完全に遮断されてしまうようにしたりする場合のあることも知られている。
【発明の開示】
【０００７】
ところで、光源光用の絞り装置の場合は、光源からの光が遮光羽根によって光源側へ反射されると、光源からの光の分布に影響を与えてしまうことがある。そのため、遮光羽根で反射した光は，出来るだけ光路外へ反射されるようにするのが好ましい。また、そうすることによって、絞り装置近傍の高温化を抑制することも可能になる。そのような理由から、特開２００４−６９９６６及び特開２００６−３４３５１２に記載のプロジェクタ用絞り装置は、遮光羽根が、光路と垂直な平面上で作動するのではなく、光源との距離が変化するような円弧状の軌跡を描いて作動するように構成されている。本発明は、そのように構成されたプロジェクタ用絞り装置に関するものである。
【０００８】
最近のプロジェクタは、携帯性をよくするために、小型化が進んできている。そのため、特開２００４−６９９６６及び特開２００６−３４３５１２に記載されているタイプの絞り装置の場合にも、小型化が強く要求されている。そのため、遮光羽根を一つだけ備えた絞り装置の場合でも、遮光羽根を二つ備えた絞り装置の場合でも、最も有効な方法は、特開２００５−１５７１６２に記載されているように、各々の遮光羽根を２枚の分割羽根で構成し、光路の全開時における遮光羽根の収容スペースを小さくすることである。
【０００９】
ところが、特開２００４−６９９６６及び特開２００６−３４３５１２に記載されているタイプの絞り装置の場合にも、小型化が強く要求されているが、その最も有効な方法の一つは、特開２００５−１５７１６２に記載されているような、各々の遮光羽根を２枚の分割羽で構成することによって、光路の全開時における遮光羽根の収容スペースを小さくすることである。ところが、特開２００４−６９９６６及び特開２００６−３４３５１２に記載されているように、遮光羽根が、光源との距離が変化するようにして円弧状の軌跡を描いて作動するようにした絞り装置の場合には、特開２００５−１５７１６２に記載されているような、遮光羽根を光路と垂直な平面上で作動させるようにした絞り装置を、そのまま採用することができない。
【００１０】
本発明は、このような問題点を解決するためになされたものであり、その目的は、光源光の光路内において、遮光羽根が、光源との距離が変化するようにして円弧状の軌跡を描いて作動するようにしたプロジェクタ用の絞り装置において、従来は大きかった１枚の遮光羽根を小さな２枚の分割羽根で構成するようにしても、それらの羽根を作動させるための機構をコンパクトに構成できるようにしたプロジェクタ用絞り装置を提供することである。
【００１１】
上記の目的を達成するために、本発明のプロジェクタ用絞り装置は、光源からの光の光路の側方位置で一方の面を該光路に向けて配置される地板と、前記地板のいずれか一方の面上に立設されている主軸と、前記主軸の立設されている面上において前記主軸の立設位置を通っていて前記光路の中心線と平行な仮想線から外れた位置に立設されている副軸と、前記主軸に回転可能に取り付けられている主作動部材と、前記主作動部材と一体であって前記主軸を中心にした円弧状の軌跡を描いて前記光路に進退させられる主分割羽根と、前記副軸に回転可能に取り付けられている副作動部材と、前記副作動部材と一体であって前記副軸を中心にした円弧状の軌跡を描いて前記光路に進退させられる副分割羽根と、一端部は前記主作動部材に回転可能に取り付けられており他端部は前記副軸からの距離が前記主軸から前記一端部の取付け位置までの距離よりも長い位置で前記副作動部材に回転可能に取り付けられているリンク部材と、を備えていて、前記主作動部材と前記副作動部材とは、電磁アクチュエータによって同じ方向に回転させられることによって、前記主分割羽根と前記副分割羽との重なり量が変化するようにする。
【００１２】
その場合、前記主作動部材は、歯車部を有していて、該歯車部を、前記電磁アクチュエータによって回転させられる歯車に噛合させているようにすることが好ましい。また、前記地板に回転可能に取り付けられていて前記電磁アクチュエータの回転に連動して所定の角度範囲内において往復回転させられる回転部材と、一端部は前記回転部材に回転可能に取り付けられ他端部は前記主作動部材に回転可能に取り付けられていて前記回転部材の往復回転によって前記主作動部材を所定の角度範囲内で往復回転させる主リンク部材と、を備えているようにしてもよい。
【００１３】
また、この絞り装置の場合には、前記主作動部材と前記副作動部材とが合成樹脂製であり、前記主分割羽根と前記副分割羽根とが金属製であって、前記主分割羽根と前記副分割羽根は、それぞれ前記主作動部材と前記副作動部材に固定されているようにすることが好ましい。また、この絞り装置の場合には、前記主軸と前記副軸とが、前記光路と直交する同一線上には存在しないようにして前記地板に立設されているようにしてもよい。更に、この絞り装置の場合には、前記主分割羽根と前記副分割羽根との重なり量が最小になったとき、前記光路は、それらの分割羽根によって遮断されるようにしてもよい。
【００１４】
また、上記の目的を達成するために、本発明のプロジェクタ用絞り装置は、光源光の光路の側方位置で一方の面を該光路に向けて配置される地板と、前記地板のいずれか一方の面上において前記光路の中心軸と平行であって且つ該中心軸に最も近い仮想線を間にして該仮想線からの各々の距離が略同じとなる位置に立設されている第１主軸及び第２主軸と、前記二つの主軸の立設されている面上において前記仮想線を間にして該仮想線からの各々の距離が略同じであって且つ前記第１主軸及び前記第２主軸のそれぞれの立設位置までの距離よりも長い位置に立設された第１副軸及び第２副軸と、前記第１主軸及び前記第２主軸にそれぞれ回転可能に取り付けられていて駆動手段によって相反する方向へ同時に往復反転させられる第１主作動部材及び第２主作動部材と、前記第１主作動部材及び前記第２主作動部材にそれぞれ一体であって前記第１主軸及び前記第２主軸を中心にした円弧状の軌跡を描いて前記光路に進退させられる第１主分割羽根及び第２主分割羽根と、前記第１副軸及び前記第２副軸にそれぞれ回転可能に取り付けられた第１副作動部材及び第２副作動部材と、前記第１副作動部材及び前記第２副作動部材にそれぞれ一体であって前記第１副軸及び前記第２副軸を中心にした円弧状の軌跡を描いて前記光路に進退させられる第１副分割羽根及び第２副分割羽根と、各々の一端部は前記第１主作動部材及び前記第２主作動部材にそれぞれ回転可能に取り付けられており各々の他端部は前記第１副軸及び前記第２副軸からの距離がそれぞれ前記第１主軸及び前記第２主軸から前記各一端部の取付け位置までの距離よりも長い位置で前記第１副作動部材及び前記第２副作動部材にそれぞれ回転可能に取り付けられている第１リンク部材及び第２リンク部材と、を備えていて、前記第１副作動部材は、前記第１主作動部材の往復回転に伴い同じ方向に回転させられることによって、前記第１主分割羽根に対する前記第１副分割羽根の重なり量を変化させ、前記第２副作動部材は、前記第２主作動部材の往復回転に伴い同じ方向に回転させられることによって、前記第２主分割羽根に対する前記第２副分割羽根の重なり量を変化させるようにする。
【００１５】
その場合、前記第１主作動部材，前記第１副作動部材，前記第２主作動部材，前記第２副作動部材が合成樹脂製であり、前記第１主分割羽根，前記第１副分割羽根，前記第２主分割羽根，前記第２副分割羽根が金属製であって、前記第１主分割羽根，前記第１副分割羽根，前記第２主分割羽根，前記第２副分割羽根は、それぞれ、前記第１主作動部材，前記第１副作動部材，前記第２主作動部材，前記第２副作動部材に固定されているようにすると、製作上においても、耐久性の点においても、有利なものになる。
【００１６】
また、この絞り装置の場合には、前記第１主軸と前記第１副軸とが、前記光路と直交する同一線上には存在しないようにして前記地板に立設されており、また、前記第２主軸と前記第２副軸とは、前記光路と直交する同一線上には存在しないようにして前記地板に立設されており、前記第１副軸及び前記第２副軸は、前記第１主軸及び前記第２主軸に対して、前記光路に沿う同じ方向の位置に立設されているようにしてもよい。その場合、前記第１主作動部材の、前記第１主軸への取付位置から前記第１主分割羽根までの距離が、前記第２主作動部材の、前記第２主軸への取付位置から前記第２主分割羽根までの距離と同じであり、また、前記第１副作動部材の、前記第１副軸への取付位置から前記第１副分割羽根までの距離が、第２副作動部材の、前記第２副軸への取付位置から前記第２副分割羽根までの距離と同じであるようにするのが好ましい。
【００１７】
また、この絞り装置の場合には、前記第１主作動部材の、前記第１主軸への取付位置から前記第１リンク部材の取付位置までの距離と、前記第２主作動部材の、前記第２主軸への取付位置から前記第２リンク部材の取付位置までの距離が同じであり、また、前記第１副作動部材の、前記第１副軸への取付位置から前記第１リンク部材の取付位置までの距離と、前記第２副作動部材の、前記第２副軸への取付位置から前記第２リンク部材の取付位置までの距離が同じであり、さらに、前記第１リンク部材の、前記第１主作動部材への取付位置から前記第１副作動部材の取付位置までの距離と、前記第２リンク部材の、前記第２主作動部材への取付位置から前記第２副作動部材の取付位置までの距離が同じであるようにしてもよい。
【００１８】
また、この絞り装置の場合には、前記第１主作動部材には歯車部が形成され、前記第２主作動部材には該歯車部に噛合する歯車部が形成されていて、前記駆動手段が一つの電磁アクチュエータであり、前記第１主作動部材と前記第２主作動部材とは、いずれか一方が前記電磁アクチュエータによって往復回転させられると、相反する方向へ回転させられるようにしてもよい。
【００１９】
また、この絞り装置の場合には、一端部は前記第１主作動部材に回転可能に取り付けられ他端部は前記第２主作動部材に回転可能に取り付けられている第３リンク部材を備えていて、前記駆動手段が一つの電磁アクチュエータであり、前記第１主作動部材と前記第２主作動部材とは、いずれか一方が前記電磁アクチュエータによって往復回転させられると、相反する方向へ回転させられるようにしてもよい。その場合、前記第１主作動部材の、前記第１主軸への取付位置から前記第３リンク部材の取付位置までの距離と、前記第２主作動部材の、前記第２主軸への取付位置から前記第３リンク部材の取付位置までの距離が同じであるようにするのが好ましい。
【００２０】
また、この絞り装置の場合には、前記第１主作動部材と前記第２主作動部材のいずれか一方には、前記電磁アクチュエータによって回転させられる歯車に噛合させる歯車部が形成されているようにしてもよいし、或いは、前記地板に回転可能に取り付けられていて前記電磁アクチュエータの往復回転に連動して所定の角度範囲内において往復回転させられる回転部材と、一端部は前記回転部材に回転可能に取り付けられ他端部は前記第１主作動部材に回転可能に取り付けられていて前記回転部材の往復回転によって前記第１主駆動部材を往復回転させる主リンク部材と、を備えているようにしてもよい。
【００２１】
また、この絞り装置の場合には、前記駆動手段が、互いに同期して相反する方向へ同時に往復回転させられる二つの電磁アクチュエータであって、前記第１主作動部材と前記第２主作動部材とは、各々の電磁アクチュエータによって、相反する方向へ同時に往復回転させられるようにしてもよい。
【００２２】
また、この絞り装置の場合には、前記第１副分割羽根と前記第２副分割羽根とは、前記光路から退く方向の端縁に沿った所定の幅の領域が、前記各主分割羽根とは重ならないようになっていて、それらの領域が前記各主分割羽根側に折り曲げられて形成されているようにしてもよい。
【００２３】
更に、この絞り装置の場合には、前記第１主分割羽根と前記第１副分割羽根との重なり量が最小になり、且つ前記第２主分割羽根と前記第２副分割羽根との重なり量が最小になったとき、前記光路は、４枚の分割羽根によって遮断されるようにしてもよいし、或いは、前記第１主分割羽根と前記第１副分割羽根との重なり量が最小になり、且つ前記第２主分割羽根と前記第２副分割羽根との重なり量が最小になったとき、前記第１主分割羽根に形成されている切欠部と、前記第２主分割羽根に形成されている切欠部とによって、前記光路の中心を囲む小さな光路が形成されるようにしてもよい。
【００２４】
本発明は、光源光の光路内において、遮光羽根が、光源との距離が変化する円弧状の軌跡を描いて作動するようにしたプロジェクタ用の絞り装置において、従来は大きかった遮光羽根を小さな主分割羽根と副分割羽根との２枚で構成するようにしたにもかかわらず、それらの分割羽根を作動させるための機構を、主作動部材と、副作動部材と、それらを連結するリンク部材とでコンパクトに構成したので、プロジェクタ内における配置スペースが従来よりも小さくすることができ、装置の小型化が可能になるという特徴がある。
【図面の簡単な説明】
【００２５】
【図１】図１は２枚の分割羽根からなる一組の遮光羽根によって光路を遮断している状態を示した実施例１の斜視図である。
【図２】図２は図１の状態をカバー部材を取り除いて示した斜視図である
【図３】図３は遮光羽根が光路を部分的に開いている状態を図２と同じようにして示した実施例１の斜視図である。
【図４】図４は遮光羽根による光路の全開状態を図２と同様にして示した実施例１の斜視図である。
【図５】図５は各々が２枚の分割羽根からなる二組の遮光羽根によって光路を遮断している状態を示した実施例２の斜視図である。
【図６】図６は図５の状態をカバー部材を取り除いて示した斜視図である。
【図７】図７は図５の状態をカバー部材を取り除いて示した正面図である。
【図８】図８は図７の上面図である。
【図９】図９は図７の底面図である。
【図１０】図１０は二組の遮光羽根が光路を部分的に開いている状態を図６と同じようにして示した実施例２の斜視図である。
【図１１】図１１は図１０の状態を図８と同じようにして示した上面図である。
【図１２】図１２は二組の遮光羽根による光路の全開状態を図６と同じようにして示した実施例２の斜視図である。
【図１３】図１３は図１２の状態を図８と同じようにして示した上面図である。
【図１４】図１４は各々が２枚の分割羽根からなる二組の遮光羽根によって光路を遮断している状態を示した実施例３の斜視図である。
【図１５】図１５は二組の遮光羽根による光路の全開状態を図１４と同じようにして示した実施例３の斜視図である。
【図１６】図１６は各々が２枚の分割羽根からなる二組の遮光羽根によって最小の光路を制御している状態を示した実施例４の斜視図である。
【図１７】図１７は図１６の状態を、カバー部材と二つの電磁アクチュエータの外形を二点鎖線で示し、且つ二つの電磁アクチュエータの回転子だけを実線で示した斜視図である。
【図１８】図１８は二組の遮光羽根による光路の全開状態を、二つの電磁アクチュエータの回転子と共に示した実施例４の斜視図である。
【図１９】図１９は各々が２枚の分割羽根からなる二組の遮光羽根によって最小の絞り開口を制御している状態を示した実施例５の斜視図である。
【図２０】図２０は図１９の状態において、地板を取り除き、その地板の外形を二点鎖線で示した斜視図である。
【図２１】図２１は図１９と同じ状態を示した正面図である。
【図２２】図２２は図２１の上面図である。
【図２３】図２３は図２１の底面図である。
【図２４】図２４は図２３に示されている二つの押さえ板の外形を二点鎖線にして示した底面図である。
【図２５】図２５は二組の遮光羽根による光路の全開状態を図２０と同じようにして示した実施例の斜視図である。
【図２６】図２６は図２５と同じ状態を示した正面図である。
【図２７】図２７は図２５と同じ状態を図２４と同じようにして示した底面図である。
【発明を実施するための最良の形態】
【００２６】
本発明を実施するための最良の形態を、図示した五つの実施例によって説明する。尚、実施例１は、２枚の分割羽根で構成した一つの遮光羽根を、一つの電磁アクチュエータで往復作動させるようにしたプロジェクタ用の絞り装置であり、実施例２、実施例３及び実施例５は、各々を２枚の分割羽根で構成した二つの遮光羽根を、一つの電磁アクチュエータで往復作動させるようにしたプロジェクタ用の絞り装置であり、実施例２、実施例３及び実施例５は、各々を２枚の分割羽根で構成した二つの遮光羽根を、一つの電磁アクチュエータで相反する方向へ同時に往復作動させるようにしたプロジェクタ用の絞り装置であり、実施例４は、各々を２枚の分割羽根で構成した二つの遮光羽根を、各々の電磁アクチュエータで相反する方向へ同時に往復作動させるようにしたプロジェクタ用の絞り装置である。【００２７】
また、図面は、図１〜図４が実施例１を説明するためのものであり、図５〜図１３が実施例２を説明するためのものであり、図１４及び図１５が実施例３を説明するためのものであり、図１６〜図１８が実施例４を説明するためのものであり、図１９〜図２７が実施例５を説明するためのものである。
【実施例１】
【００２８】
先ず、本実施例の構成を、主に図１及び図２を用いて説明する。本実施例における絞り装置の地板１は、金属製であって、プロジェクタの本体に組み付けるために、一つの長孔１ａと三つの孔１ｂ，１ｃ，１ｄが形成されている。それらのうち長孔１ａと孔１ｄとは、プロジェクタ本体に設けられた図示していない位置決めピンを嵌合させるためのものである。そして、地板１は、他の二つの孔１ｂ，１ｃにねじを挿入して、プロジェクタ本体に固定される。【００２９】
この絞り装置がプロジェクタに組み込まれたとき、光源光の光路は、地板１の下側において、左下から右上に向かって形成される。そのため、この地板１は、プロジェクタ内においては、光源光の光路の上方位置で、一方の板面を光路に向けて配置されることになる。そこで、以下の説明においては、図１〜図４における地板１の左下側を光源側ということにするが、実際には、右上側が光源側となるように配置されることもある。従って、本発明の絞り装置は、光源がどちら側に配置されてもよいことになる。そして、このことは、実施例２〜５の場合も同じである。【００３０】
本実施例の場合には、このようにして、絞り装置がプロジェクタに組み込まれたとき、図１において二点鎖線で示しているように、遮光羽根の光源側にフライアイレンズＦが配置される。また、図示していないが、遮光羽根の背面側にも、もう一つのフライアイレンズが配置される。そして、図１〜図４においては、光路の中心線Ｏを一点鎖線で示してある。【００３１】
本発明は、プロジェクタ内において、本実施例の絞り装置を、地板１が、光路の上下方向のいずれかの位置となるように配置してもよいし、光路の左右方向のいずれかの位置となるように配置してもよい。しかし、図１〜図４に示されているように、地板１を光路の上方位置に配置した場合には、熱が地板１の下方に滞留し、地板１の光路側に取り付けられている後述のステッピングモータの耐久性に影響を与えてしまうおそれがある。そこで、本実施例の場合には、地板１に長方形の長孔１ｅを形成し、その熱を少しでも上方へ逃がすようにしている。【００３２】
また、図２に示されているように、地板１には，光路とは反対側となる板面上に、主軸１ｆと副軸１ｇとが立設されている。そして、それらのうち、主軸１ｆは、光路の中心線Ｏの真上よりも右側に立設されている。また、副軸１ｇは、光路の中心線Ｏと平行で主軸１ｆの立設位置を通る仮想線よりも右側にあって、主軸１ｆよりも光源側に立設されている。【００３３】
主軸１ｆには、合成樹脂製の主作動部材２が回転可能に取り付けられている。この主作動部材２は、ばね掛け部２ａと、歯車部２ｂと、腕部２ｃとを有していて、光源側に張り出している腕部２ｃの先端には、取付部２ｄを形成している。【００３４】
副軸１ｇには、合成樹脂製の副作動部材３が回転可能に取り付けられている。この副作動部材３は、光源側に張り出した腕部３ａを有していて、その先端に取付部３ｂを形成している。そして、図面上では分かりにくいが、主作動部材２の取付部２ｄが、副作動部材３の取付部３ｂよりも光源側になっている。また、図４から分かるように、副作動部材３の取付部３ｂは、主作動部材２の取付部２ｄよりも下方に位置している。そのため、取付部２ｄと取付部３ｂは、干渉し合わないようになっている。【００３５】
図２から分かるように、主作動部材２と副作動部材３とは、リンク部材４によって連結されている。そして、このリンク部材４は、その一端部４ａを、主軸１ｆの近傍位置で主作動部材２に回転可能に取り付けられ、他端部４ｂを、取付部３ｂの近傍位置で副作動部材３に回転可能に取り付けられている。【００３６】
主作動部材２の取付部２ｄには、金属製の主分割羽根５が二つのねじによって取り付けられている。また、副作動部材３の取付部３ｂには、上記の主分割羽根５と共に遮光羽根を構成している金属製の副分割羽根６が二つのねじによって取り付けられている。また、副分割羽根６には、光路から退く方向の端縁に沿う領域を光源側、即ち主分割羽根５側に折り曲げることによって、折曲部６ａが形成されている。そして、主分割羽根５と副分割羽根６は、主作動部材２と副作動部材３とが同時に同じ方向へ回転することによって、相互の重なり量を変えながら光路に進退させられるようになっている。【００３７】
このような２枚の分割羽根５，６は、いずれも、光路に進入しているときには、光路に対して斜めに配置され、光源側の面に当たった光の殆どを、光路の側方（図１〜図４において右下方）へ反射するようにしている。【００３８】
尚、本実施例では、２枚の分割羽根５，６を金属製としているが、所定の耐熱性が得られるのであれば、合成樹脂製としてもよい。そして、その場合には、各作動部材２，３と共に一体成形するようにしても差し支えない。また、本実施例では、各作動部材２，３を合成樹脂製としているが、分割羽根５，６と同様に、金属製としても差し支えない。【００３９】
地板１の光路側の面には、光路からそれたところに、モータ取付部材７が、図示していない二つのねじによって取り付けられている。地板１に形成されているねじ穴１ｈは、それらのうちの一つのねじを螺合させるのに用いられる穴である。そして、モータ取付部材７には、ステッピングモータ８が取り付けられており、その出力軸に取り付けられた歯車８ａが、上記の主作動部材２に形成された歯車部２ｂに噛合している。また、モータ取付部材７には、プリント配線板９も二つのねじで取り付けられている。【００４０】
上記の主作動部材２には、歯車部２ｂの左端下側に被検出部２ｅが形成されており、地板１には、主作動部材２が反時計回転していったとき、被検出部２ｅが入り込むための切込部１ｉが形成されている。そして、地板１の光路側の面には、明示されていない光電センサーが、ねじによって取り付けられている。この光電センサーは、発光部と受光部とを有していて、被検出部２ｅが切込部１ｉに入り込み、その受光部に入射する光を遮断したとき、主作動部材２の回転位置を検出できるようにしたものであって、それにより、２枚の分割羽根５，６による光路の全開状態を認識できるようにしたものである。【００４１】
また、本実施例では、同様な手段によって、２枚の分割羽根５，６による光路の遮断状態、即ち、図１及び図２に示されている主作動部材２の回転位置も検出できるようにしている。そして、その手段は明示されていないが、主作動部材２には、もう一つの被検出部が形成されていて、主軸１ｆを中心にして地板１に形成された円弧状の長孔１ｊに挿入させており、地板１の光路側の面には、もう一つの光電センサーが、ねじによって取り付けられている。【００４２】
図１に示されているように、地板１には、カバー部材１０が取り付けられている。このカバー部材１０は、合成樹脂製であって、筒部１０ａを、地板１に形成されているねじ穴１ｋ（図２参照）に合わせ、ねじによって地板１に固定されている。また、カバー部材１０には、上記の主軸１ｆの先端を嵌合させる孔１０ｂと、上記の副軸１ｇの先端を嵌合させる孔１０ｃとが形成されていて、地板１側の面には、ばね掛け部１０ｄが設けられている。【００４３】
更に、図２に示されているように、主軸１ｆには、コイルばね１１が巻回されていて、一端を主作動部材２のばね掛け部２ａに掛け、他端をカバー部材１０のばね掛け部１０ｄに掛けている。このコイルばね１１は、主作動部材２が、主軸１ｆの軸方向へガタツクのを防止するためと、歯車部２ｂと歯車８ａとの間のバックラッシュをなくすために設けられている。【００４４】
尚、本実施例では、地板１の、光路側とは反対側の板面に、主軸１ｆと副軸１ｇを立設し、それらに主作動部材２と副作動部材３を取り付けているが、本発明は、このような構成に限定されず、主軸１ｆと副軸１ｇを、地板１の光路側の板面に立設し、主作動部材２，副作動部材３，リンク部材４が、地板１の光路側に配置されるようにしても構わない。【００４５】
次に、本実施例の作動を説明する。図１及び図２は、光源光の光路を遮断している状態を示している。本発明の絞り装置は、プロジェクタの電源をオフにしたときには、常にこの状態になるようにしても構わない。しかしながら、本実施例においては、この状態は、光源ランプは点灯しているけれど、画像をスクリーンには投影していないときである。そのため、この状態は、２枚の分割羽根５，６によって、光路を一時的に遮断している状態である。従って、本実施例によれば、画像や文字を投影していないときには、スクリーンは暗くなっている。また、そのようにしたことによって、液晶プロジェクタの場合には、液晶パネルに光源光が当たらないので、液晶パネルの性能の劣化を防止することができる。【００４６】
この状態から投影を開始するときは、ステッピングモータ８に通電し、歯車８ａを回転させるので、主作動部材２は、反時計方向へ回転させられる。それにより、主作動部材２は、リンク部材４を介して、副作動部材３を反時計方向へ回転させるが、主軸１ｆからリンク部材４の一端部４ａまでの距離が、副軸１ｇからリンク部材４の他端部４ｂまでの距離よりも短いから、副作動部材３の回転は、主作動部材２の回転よりも遅い。そのため、主分割羽根５と副分割羽根６とは重なり量を大きくしながら反時計方向へ回転していくことになる。図３は、そのようにして、主分割羽根５が光路を部分的に開き、所望の光量制御位置で停止した状態を示したものである。【００４７】
このような図３に示された状態から、光源光による照明光量を強くしたい場合には、所望の光量が得られるまで、これまでと同じ方向へステッピングモータ８を回転させ、また、光源光による照明光量を弱くしたい場合には、所望の光量が得られるまで、これまでとは逆方向へステッピングモータ８を回転させることになる。【００４８】
図４は、光源光による照明光量を最大にするために、光路を全開にした状態を示したものである。本実施例の副分割羽根６が、折曲部６ａを形成しているのは、この状態のとき、その背面側に配置されている図示していないプロジェクタ本体側の部材（例えば、フライアイレンズを取り付けている枠体など）に干渉しないようにしているためである。そして、このとき、本実施例では、主分割羽根５と副分割羽根６との重なり量が最大になり、両者の収容スペースの効率化が図られている。【００４９】
尚、本実施例の絞り装置は、図１に示すように、２枚の分割羽根５，６によって、光路を完全に遮断し得るようにしているが、本発明は、そのような構成に限定されるものではない。例えば、図４の状態からの主作動部材２の時計方向への回転は、図３の状態が得られるまでとしてもよいし、さらに時計方向へ回転させられて光路がスリット状に形成されたところまでとしてもよい。【００５０】
また、本実施例では、ステッピングモータ８を駆動手段としているが、本発明の電磁アクチュエータは、ステッピングモータに限定されず、往復作動の可能な種々のモータであればよい。また、本実施例の絞り装置が、例えば、オーバーヘッドプロジェクタなどに採用される場合には、ステッピングモータ８を備えずに、手動で主作動部材２を回転させるようにしても構わない。【００５１】
更に、本実施例では、主作動部材２を、地板１に立設された主軸１ｆに対して回転可能に取り付け、また、副作動部材３を、地板１に立設された副主軸１ｇに対して回転可能に取り付けているが、地板１に対する各作動部材の取り付け構成は、このような構成に限定されない。例えば、それらの作動部材のうちの少なくとも一つは、回転中心に軸を形成していて、地板１に形成した孔に対して、その軸を回転可能に嵌合させるようにしてもよい。
【実施例２】
【００５２】
次に、図５〜図１３を用いて実施例２を説明する。先ず、図５〜図９を用いて、本実施例の構成を説明する。本実施例の地板２１も、金属製であって、その平面形状は図８及び図９に分かり易く示されている。そして、この地板２１には、プロジェクタに組み付けるために必要な一つの長孔２１ａと三つの孔２１ｂ，２１ｃ，２１ｄが形成されていて、実施例１の地板１の場合と同様にして、プロジェクタ本体に固定されるようになっている。【００５３】
また、この絞り装置がプロジェクタに組み込まれたとき、光源光の光路は、図５及び図６においては、左下から右上に向かい、図７においては、手前側から奥へ向かい、図８においては、下から上に向かい、図９においては、上から下に向かって形成される。そのため、以下の説明においては、図５及び図６の左下側、図７の手前側、図８の下側、図９の上側を、光源側ということにする。そして、本実施例の場合にも、地板２１は、プロジェクタ内においては、光源光の光路の上方位置で、一方の板面を光路に向けて配置されるようになっている。【００５４】
本実施例の場合にも、絞り装置がプロジェクタに組み込まれたとき、遮光羽根を間にして二つのフライアイレンズが配置されるが、図７においては、光源側に配置される方のフライアイレンズＦだけが、二点鎖線で示されている。また、本実施例の説明に用いられる各図には、光路の中心線Ｏを一点鎖線で示してある。【００５５】
図８に明示されているように、地板２１には、長方形をした長孔２１ｅと、その長さ方向の両側にねじ穴２１ｆ，２１ｇが形成されている。長孔２１ｅを設けている理由は、実施例１の長孔１ｅを設けている理由と同じである。【００５６】
地板２１には、光路とは反対側となる面に、二つの主軸２１ｈ，２１ｉと、二つの副軸２１ｊ，２１ｋとが立設されており、それらの高さは同じである。そして、本実施例の場合、主軸２１ｈと主軸２１ｉとは、地板２１上において、光路の中心線Ｏに最も近くて平行である仮想線（図７，図８において、光軸の中心線Ｏと重なる線）の両側に、その仮想線からは略等間隔となる位置に立設されている。また、副軸２１ｊと副軸２１ｋも、同様に、その仮想線からは略等間隔となる位置に立設されており、それらの間隔は、二つの主軸２１ｈ，２１ｉの相互間隔よりも大きい。【００５７】
ところが、本実施例の場合、二つの主軸２１ｈ，２１ｉは、上記の仮想線と直交する所定の同一直線上には立設されてはおらず、図８に示されているように、光路に沿った方向（上下方向）に互いに間隔Ａだけずれた位置に立設されている。そのため、二つの主軸２１ｈ，２１ｉは、上記の仮想線と直交する所定の直線の両側に立設されている、という言い方もできる。また、二つの副軸２１ｊ，２１ｋも、同様に、上記の仮想線と直交する所定の同一直線上に立設されておらず、図８に示されているように、光路に沿った方向に互いに間隔Ｂだけずれた位置に立設されている。そして、そのずれ方向は、二つの主軸２１ｈ，２１ｉの場合と同じであり、ずれ量も略同じ（Ａ＝Ｂ）である。【００５８】
主軸２１ｈ，２１ｉには、いずれも合成樹脂製の主作動部材２２，２３が、回転可能に取り付けられている。これらの主作動部材２２，２３は、ばね掛け部２２ａ，２３ａを有していて、外周部には互いに噛合している歯車部２２ｂ，２３ｂが形成されている。また、主作動部材２２，２３は、光源側に腕部２２ｃ，２３ｃを有していて、その先端に取付部２２ｄ，２３ｄを形成している。そして、主軸２１ｈから取付部２２ｄまでの距離は、主軸２１ｉから取付部２３ｄまでの距離と同じである。その結果、図８においては、主作動部材２２の取付部２２ｄが、主作動部材２３の取付部２３ｄよりも光源側になっている。更に、主作動部材２２には、図８における右下方部に、もう一つの歯車部２３ｅが形成されている。【００５９】
副軸２１ｊ，２１ｋには、いずれも合成樹脂製の副作動部材２４，２５が、回転可能に取り付けられている。これらの副作動部材２４，２５は、光源側に張り出した腕部２４ａ，２５ａを有していて、その先端に取付部２４ｂ，２５ｂを形成している。そして、副軸２１ｊから取付部２４ｂまでの距離は、副軸２１ｋから取付部２５ｂまでの距離と同じである。また、図８においては、主作動部材２２の取付部２２ｄが、副作動部材２４の取付部２４ｂよりも光源側にあり、主作動部材２３の取付部２３ｄが、副作動部材２５の取付部２５ｂよりも光源側にある。更に、図７に示されているように、副作動部材２４の取付部２４ｂは、主作動部材２２の取付部２２ｄよりも下方に位置し、両者が干渉し合わないようになっているし、副作動部材２５の取付部２５ｂは、主作動部材２３の取付部２３ｄよりも下方に位置し、両者が干渉し合わないようになっている。【００６０】
このような主作動部材２２と副作動部材２４とは、リンク部材２６の一端部２６ａを、主軸２１ｈの近傍位置で主作動部材２２に回転可能に取り付け、リンク部材２６の他端部２６ｂを、副作動部材２４の取付部２４ｂの近傍位置に回転可能に取り付けることによって、連結されている。また、主作動部材２３と副作動部材２５とは、リンク部材２７の一端部２７ａを、主軸２１ｉの近傍位置で主作動部材２３に回転可能に取り付け、リンク部材２７の他端部２７ｂを、副作動部材２５の取付部２５ｂの近傍位置に回転可能に取り付けることによって、連結されている。【００６１】
主作動部材２２の取付部２２ｄには、金属製の主分割羽根２８が二つのねじによって取り付けられ、主作動部材２３の取付部２３ｄには、金属製の主分割羽根２９が二つのねじによって取り付けられている。これらの二つの主分割羽根２８，２９は、主作動部材２２，２３によって光路に進退させられるが、上記のように、図８の状態においては、取付部２２ｄが取付部２３ｄよりも光源側にあるので、両者は干渉し合うことがなく、光源側から見て、一部が重なり合うようになっている。【００６２】
尚、本実施例の場合には、上記のように、主軸２１ｈ，２１ｉの相互の立設位置がずれていて、主軸２１ｈ，２１ｉから取付部２２ｄ，２３ｄまでの距離が同じであるため、主分割羽根２８，２９が干渉せず、図８の状態が得られるようになっている。しかしながら、本実施例のように構成しなくても、図８の状態が得られるようにすることは可能である。即ち、主軸２１ｈ，２１ｉを、地板２１上での上記の仮想線と直交する同一直線上に立設し、主軸２１ｈから取付部２２ｄまでの距離よりも、主軸２１ｉから取付部２３ｄまでの距離を短くすると共に、副軸２１ｊ，２１ｋを、地板２１上での上記の仮想線と直交する同一直線上に立設し、副軸２１ｊから取付部２４ｂまでの距離よりも、副軸２１ｋから取付部２５ｂまでの距離を短くすればよいことになる。従って、そのように構成したものも、本発明の絞り装置である。【００６３】
副作動部材２４の取付部２４ｂには、上記の主分割羽根２８と共に一方の遮光羽根を構成する金属製の副分割羽根３０が二つのねじによって取り付けられ、副作動部材２５の取付部２５ｂには、上記の主分割羽根２９と共に他方の遮光羽根を構成する金属製の副分割羽根３１が二つのねじによって取り付けられている。そして、副分割羽根３０は、副作動部材２４によって、主分割羽根２８との重なり量を変えながら光路に進退させられ、副分割羽根３１は、副作動部材２５によって、主分割羽根２９との重なり量を変えながら光路に進退させられるようになっている。更に、副分割羽根３０，３１は、光路から退く方向の端縁に沿う領域を光源側に折り曲げて形成した折曲部３０ａ，３１ａと、図９にだけ示されているように、光路へ進入していく方向の端縁に沿う領域を光源側に折り曲げて形成した折曲部３０ｂ，３１ｂを有している。【００６４】
このような４枚の分割羽根２８，２９，３０，３１は、いずれも、光路に進入しているときには、光路に対して斜めに配置され、光源側の面に当たった光の殆どを、光路の側方へ反射するようにしている。ところが、図８及び図９から分かるように、光路の遮断状態において、副分割羽根３０，３１で反射された光の一部が、主分割羽根２８，２９との間に入り込んでくるし、主分割羽根２９で反射した光の一部が、主分割羽根２８との間に入り込んでくる。【００６５】
そこで、本実施例の場合には、主分割羽根２８，２９の背面、即ち光源側とは反対の面をマット面（つや消し面）とし、さらにその上に黒色塗装を施すことによって、副分割羽根３０，３１で反射され、主分割羽根２８，２９との間に進入してきた光や、主分割羽根２９で反射され主分割羽根２８との間に進入してきた光を減衰させるようにしている。また、副分割羽根３０，３１で反射され、主分割羽根２８，２９との間に進入してきた光に対しては、副分割羽根３０，３１に折曲部３０ｂ，３１ｂを形成することによって、進入してきた方向へ反射するようにしている。本実施例では、このようにして、遮断状態における漏光を減少するようにしているが、これらの三つの手段の少なくとも一つを講じるだけでも効果はある。【００６６】
尚、本実施例では、４枚の分割羽根２８，２９，３０，３１を金属製としているが、所定の耐熱性が得られるのであれば、合成樹脂製としてもよい。そして、その場合には、各作動部材２２，２３，２４，２５と共に一体成形するようにしても差し支えない。また、本実施例では、各作動部材２２，２３，２４，２５を合成樹脂製としているが、必要であれば、分割羽根２８，２９，３０，３１と同様に、金属製としても差し支えない。そして、このことは、下記の各実施例にもいえることである。【００６７】
地板２１の光路側の面には、モータ取付部材３２が、二つのねじ３３，３４（図９参照）をねじ穴２１ｍ，２１ｎ（図８参照）に螺合させることによって固定されている。そして、そのモータ取付部材３２には、ステッピングモータ３５が取り付けられており、その出力軸に取り付けられた歯車３５ａが、上記の主作動部材２３に形成された歯車部２３ｅに噛合している。また、モータ取付部材３２には、プリント配線板３６も二つのねじで取り付けられている。尚、上記の実施例１のステッピングモータ８も、本実施例と全く同じ構成で、地板１に取り付けられている。【００６８】
主作動部材２３には、二つの被検出部２３ｆ，２３ｇが形成されているが、被検出部２３ｇについては、図７にその一部だけが示されている。また、地板２１には、主作動部材２３が回転していったとき、被検出部２３ｆが入り込むための切込部２１ｐと、被検出部２３ｇが挿入されている円弧状の長孔２１ｓが形成されている。また、地板２１の光路側の面には、図９に示されているように、二つの光電センサー３７，３８が、ねじ３９，４０をねじ穴２１ｑ，２１ｒ（図８参照）に螺合させることによって固定されている。そして、それらの光電センサー３７，３８には、プリント配線板４１が取り付けられている。【００６９】
二つの光電センサー３７，３８は、図９においては、プリント配線板４１に隠れてそれらの一部が見えているだけであるが、図７においては、一方の光電センサー３７が分かるように示されている。これらの光電センサー３７，３８は、それぞれ発光部と受光部とを有していて、被検出部２３ｆ，２３ｇが受光部に入射する光を遮断したとき、主作動部材２３の回転位置を検出できるようになっている。そして、光電センサー３７が被検出部２３ｆを検出することによって、４枚の分割羽根２８，２９，３０，３１による光路の全開状態が認識され、光電センサー３８が被検出部２３ｇを検出することによって、４枚の分割羽根２８，２９，３０，３１による光路の遮断状態が認識されるようになっている。【００７０】
図５に示されているように、地板２１には、カバー部材４２が取り付けられている。このカバー部材４２は、合成樹脂製であって、二つの筒部（一方の筒部４２ａ）を、地板２１に形成された上記のねじ穴２１ｆ，２１ｇに合わせ、ねじ４３，４４によって地板２１に固定されている。また、カバー部材４２には、上記の主軸２１ｈ，２１ｉの先端を嵌合させる孔４２ｂ，４２ｃと、上記の副軸２１ｊ，２１ｋの先端を嵌合させる孔４２ｄ，４２ｅと、四角い孔４２ｆとが形成されていて、地板２１側の面には、ばね掛け部４２ｇ，４２ｈが設けられている。そして、孔４２ｆの縁からは地板２１側にフック部４２ｉが形成されていて、その先端を、地板２１に形成されている四角い孔２１ｔ（図８，図９参照）の縁に掛けている。【００７１】
更に、主軸２１ｈには、コイルばね４５が巻回されていて、一端を主作動部材２２のばね掛け部２２ａに掛け、他端をカバー部材４２のばね掛け部４２ｇに掛けている。また、主軸２１ｉには、コイルばね４６が巻回されていて、一端を主作動部材２３のばね掛け部２３ａに掛け、他端をカバー部材４２のばね掛け部４２ｈに掛けている。これらのコイルばね４５，４６は、主作動部材２２，２３が、主軸２１ｈ，２１ｉの軸方向へガタツクのを防止するためと、歯車部２２ｂと歯車部２３ｂとの間と、歯車部２３ｅと歯車３５ａとの間のバックラッシュをなくすために設けられているものである。【００７２】
尚、本実施例では、地板２１の、光路側とは反対側の板面に、主軸２１ｈ，２１ｉと副軸２１ｊ，２１ｋを立設し、それらに主作動部材２２，２３と副作動部材２４，２５を取り付けているが、本発明は、このような構成に限定されず、主軸２１ｈ，２１ｉと副軸２１ｊ，２１ｋを、地板２１の光路側の板面に立設し、主作動部材２２，２３、副作動部材２４，２５、リンク部材２６，２７が、地板２１の光路側に配置されるようにしても構わない。そして、このことは、以下の各実施例についても同じである。【００７３】
次に、本実施例の作動を説明する。図５〜図９は、光源光の光路を閉鎖している状態を示したものである。本実施例は、この状態において、光源ランプは点灯している。しかしながら、画像をスクリーンに投影していないときであるため、４枚の分割羽根２８〜３０によって、光路を一時的に遮断している。そのため、スクリーンは暗くなっている。【００７４】
投影を開始するときは、ステッピングモータ３５に通電し、出力軸に取り付けてある歯車３５ａを回転させる。それにより、図８において、主作動部材２３は反時計方向へ回転させられ、主作動部材２２は時計方向へ回転させられる。【００７５】
そのとき、主作動部材２２は、リンク部材２６を介して副作動部材２４を時計方向へ回転させ、主作動部材２２は、リンク部材２７を介して副作動部材２５を反時計方向へ回転させるが、主軸２１ｈ．２１ｉからリンク部材２６，２７の一端部２６ａ，２７ａまでの距離が、副軸２１ｊ，２１ｋからリンク部材２６，２７の他端部２６ｂ，２７ｂまでの距離より短いから、副作動部材２４，２５の回転は、主作動部材２２，２３の回転よりも遅い。そのため、主分割羽根２８と副分割羽根３０とは重なり量を大きくしながら時計方向へ円弧状の軌跡を描いて作動し、主分割羽根２９と副分割羽根３１とは重なり量を大きくしながら反時計方向へ円弧状の軌跡を描いて作動していくことになる。図１０及び図１１は、そのようにして、二組の遮光羽根が光路を部分的に開き、所望の光量制御位置で停止した状態を示したものである。【００７６】
図１０及び図１１に示された状態から、光源光による照明光量を増大させる場合は、所望の光量が得られるまで、これまでと同じ方向へステッピングモータ３５を回転させ、また、光源光による照明光量を減少させる場合は、所望の光量が得られるまで、これまでとは逆方向へステッピングモータ３５を回転させることになる。【００７７】
そして、図１２及び図１３は、光源光による照明光量を最大にするために、光路を全開にした状態を示したものである。本実施例の副分割羽根３０，３１が、折曲部３０ａ，３１ａを形成しているのは、この状態のとき、折曲部３０ａ，３１ａの面を、光路の中心軸Ｏに対して垂直にさせることにより、その背面側に配置されている図示していないプロジェクタ本体側の部材（例えば、フライアイレンズを取り付けている枠体など）に干渉しないようにするためである。本実施例は、二つの遮光羽根を、主分割羽根２８，２９と副分割羽根３０，３１とで構成するほか、このような工夫もして、プロジェクタ内におけるスペースの効率化を図れるようにしている。【００７８】
尚、本実施例の絞り装置は、図５〜図９に示すように、４枚の分割羽根２８〜３１によって、光路を遮断することが可能になっているが、本発明は、そのような構成に限定されるものではない。例えば、主作動部材２２の反時計方向への回転と、主作動部材２３の時計方向への回転は、主分割羽根２８と主分割羽根２９との間に細長い隙間（スリット）が形成されているところまでが限界であるようにしても構わない。そのため、そのようにした場合には、本実施例のように、主分割羽根２８，２９の一部が重なり得る構成にする必要はない。このことは、下記の実施例３についてもいえることである。【００７９】
また、本実施例では、ステッピングモータ３５を駆動源としているが、本発明の電磁アクチュエータは、ステッピングモータに限定されず、往復作動の可能な種々のモータであればよい。そして、このことは、下記の実施例３，５についてもいえることである。【００８０】
更に、本実施例では、主作動部材２２，２３を、地板２１に立設された主軸２１ｈ，２１ｉに対して回転可能に取り付け、また、副作動部材２４，２５を、地板２１に立設された副主軸２１ｊ，２１ｋに対して回転可能に取り付けているが、地板２１に対する各作動部材２２〜２５の取り付け構成は、このような構成に限定されない。例えば、それらの作動部材２２〜２５のうちの少なくとも一つは、回転中心に軸を形成していて、地板２１に形成した孔に対して、その軸を回転可能に嵌合させているようにしてもよい。そして、このことは、下記の各実施例についてもいえることである。
【実施例３】
【００８１】
次に、図１４及び図１５を用いて実施例３を説明する。本実施例は、上記の実施例２と同様に、各々を２枚の分割羽根で構成した二組の遮光羽根を、一つの電磁アクチュエータで相反する方向へ同時に往復作動させるようにしたプロジェクタ用絞り装置である。そして、図１４は、二組の遮光羽根が光路を遮断している状態を、図６と同様にして示した斜視図であり、図１５は、二組の遮光羽根による光路の全開状態を、図１２と同様にして示した斜視図である。【００８２】
本実施例の構成は、実施例２における主作動部材２２と主作動部材２３との連結機構が異なるだけである。そのため、図１４及び図１５においては、実施例２の場合と全く同じ構成部材には同じ符号を付け、それらについての説明を省略する。また、主作動部材２２と主作動部材２３については、実施例２の場合と、一部の部位の形状が異なるが、殆どの部位の形状が同じであるため、やはり、同じ符号を用いている。そこで、本実施例の構成については、実施例２の場合と異なる点についてだけ説明する。【００８３】
本実施例の主作動部材２２，２３は、実施例２の主作動部材２２，２３のように歯車部２２ｂ，２３ｂを有していない。また、本実施例では、実施例２におけるコイルばね４５，４６を備えていない。そのため、本実施例の主作動部材２２，２３は、実施例２の主作動部材２２，２３に形成されたばね掛け部２２ａ，２３ａを有していないし、図示していないカバー部材４２にも、実施例２で説明したばね掛け部４２ｇ，４２ｈが設けられていない。【００８４】
本実施例では、新たにリンク部材４７が備えられており、その一端部４７ａを主作動部材２２に回転可能に取り付け、他端部４７ｂを主作動部材２３に回転可能に取り付けている。その他の構成は、実施例２の場合と全く同じである。【００８５】
このように構成されているから、本実施例の場合にも、図１４の状態から、一方の主作動部材２３が、ステッピングモータ３５によって反時計方向へ回転させられると、他方の主作動部材２２が、リンク部材４７を介して、時計方向へ回転させられるようになっている。また、図１５の状態から、主作動部材２３が、ステッピングモータ３５によって時計方向へ回転させられると、主作動部材２２が、リンク部材４７を介して、反時計方向へ回転させられるようになっている。そして、このほかの詳細な作動説明は、実施例２の場合と全く同じであるため省略する。【００８６】
尚、本実施例では、一つのステッピモータング３５によって二つの主作動部材２２，２３を相反する方向へ回転させるために、二つの主作動部材２２，２３をリンク部材４７によって連結している。また、上記の実施例２では、同じ理由によって、二つの主作動部材２２，２３の歯車部２２ｂ，２３ｂを噛合させている。しかしながら、例えば、主作動部材２２，２３の一部を相互に重ね合わせるようにし、その重なり部に形成した両者の長孔にピンを嵌合させ、そのピンをモータで往復作動させるようにしても、主作動部材２２と主作動部材２３とを同時に相反する方向へ回転させることが可能である。従って、一つのステッピモータング３５によって二つの主作動部材２２，２３を相反する方向へ回転させる構成は、実施例２，３及び下記の実施例５の構成に限定されない。
【実施例４】
【００８７】
次に、図１６〜図１８を用いて実施例４を説明する。本実施例は、上記の実施例２,３と同様に、各々を２枚の分割羽根で構成した二組の遮光羽根を備えているが、それらの遮光羽根を一つの電磁アクチュエータで作動させるのではなく、各々の電磁アクチュエータによって、相反する方向へ同時に往復作動させるようにしたプロジェクタ用絞り装置である。【００８８】
そして、図１６は、各々が２枚の分割羽根からなる二つの遮光羽根によって最小の光路を制御している状態を示した斜視図であり、図１７は、図１６に示されているカバー部材と二つの電磁アクチュエータの外形を二点鎖線で示し、且つ二つの電磁アクチュエータの回転子だけを実線で示した斜視図であり、図１８は、二つの遮光羽根による光路の全開状態を、図１７から二点鎖線を取り除いて示した斜視図である。【００８９】
また、図１６〜図１８においては、実施例２，３の場合と全く同じ構成部材には同じ符号を付けてあるので、それらについての説明は省略する。また、本実施例は、二つの電磁アクチュエータを備えているため、実施例２，３の場合とは、地板２１とカバー部材４２の形状が一部異なっている。また、実施例２，３の場合のように主作動部材２２と主作動部材２３とが互いに連結されていないため、それらの形状の一部も異なっている。更に、主分割羽根２８，２９の形状の一部も実施例２，３の場合とは異なっている。しかしながら、それらは、いずれも一部の形状が異なるだけであるから、本実施例においても実施例２，３の場合と同じ符号を用いている。【００９０】
そこで、本実施例の構成については、実施例２，３の場合と異なる点についてだけ説明する。本実施例の地板２１は、実施例２，３のようにステッピングモータ３５や光電センサー３７，３８を取り付けないため、実施例２，３の地板２１よりも単純な形状をしている。そして、実施例２，３の場合と同様に、プロジェクタ本体へ取り付けるための四つの孔２１ａ〜２１ｄと、熱い空気を上方へ逃がすための長孔２１ｅと、カバー部材４２を取り付けるための二つのねじ穴２１ｆ，２１ｇと、カバー部材４２のフック部４２ｉを引っ掛ける孔２１ｔとが形成されている。それらのうち孔２１ｃ，２１ｄは、地板２１の外形形状が変っているため、形成箇所が大きく変っている。【００９１】
本実施例の主作動部材２２，２３は、各々の電磁アクチュエータによって往復回転させられるため、実施例２のように、歯車部２２ｂ，２３ｂ，２３ｅを有していない。また、実施例３のように、主作動部材２３は、歯車部２３ｅを有していないし、主作動部材２２と主作動部材２３とは、リンク部材４７によって連結されていない。その代わり、主作動部材２２と主作動部材２３には、ピン２２ｅ，２３ｈが設けられている。その他の形状は、実施例２の主作動部材２２，２３と同じである。そのため、本実施例の場合にも、実施例２におけるコイルばね４５，４６を備えていない。【００９２】
本実施例の主分割羽根２８，２９には、切欠部２８ａ，２９ａが形成されており、図１６及び図１７に示されているように、主分割羽根２８，２９の光路へ進入する側の端縁に沿った領域が相互に重なったとき、光路の中心線Ｏを囲むようにして最小の光路面積が形成されるようになっている。そのため、本実施例の場合には、上記の実施例２，３のように、光路が遮断されてしまうことがない。【００９３】
しかしながら、本発明は、主分割羽根２８，２９に切欠部２８ａ，２９ａを形成せず、上記の実施例２，３の場合と同様に、光路を遮断できるようにしても構わない。また、上記の実施例２，３の主分割羽根２８，２９に、本実施例の場合と同様に、切欠部２８ａ，２９ａを形成し、最小の光路面積が形成されるようにしても構わない。更に、切欠部２８ａ，２９ａの形状は、図示されている本実施例の形状に限定されない。そして、このことは、下記の実施例５についても言えることである。【００９４】
本実施例のカバー部材４２は、図５に示されている第２実施例のカバー部材４２と同様に、二つのねじ４３，４４によって地板２１に取り付けられている。そして、本実施例のカバー部材４２にも、主軸２１ｈ，２１ｉの先端を挿入する孔４２ｂ，４２ｃと、副軸２１ｊ，２１ｋの先端を挿入する孔４２ｄ，４２ｅとが形成されているが、図１６には、孔４２ｂ，４２ｃが明示されていない。また、本実施例の場合、カバー部材４２には、図５に示されているばね掛け部４２ｇ，４２ｈが形成されていない。【００９５】
本実施例においては、二つの電磁アクチュエータがカバー部材４２に取り付けられている。本実施例の電磁アクチュエータは、例えば、特開２００５−２４１７２６号公報に記載されているような電流制御式のモータ４８，４９である。図１７及び図１８に示されている回転子４８ａ，４９ａは、２極の永久磁石を有する円柱形の本体部４８ａ−１，４９ａ−１と、そこからラジアル方向へ張り出した合成樹脂製の腕部４８ａ−２，４９ａ−２とを有していて、腕部４８ａ−２，４９ａ−２の先端には長孔４８ａ−３，４９ａ−３が形成されている。【００９６】
モータ４８の固定子は、回転子４８ａの回転軸の一方を軸受けしている第１固定子枠５０と、回転子４８ａの回転軸の他方を軸受けしている第２固定子枠５１と、それらの固定子枠５０，５１の軸受け部を囲むようにして順に重ねて巻回された二つのコイル５２，５３と、コイル５３の外側から第１固定子枠５０に嵌装された筒状のヨーク５４と、第１固定子枠５０に取り付けられていて回転子４８ａの本体部４８ａ−１の周面に対向させられている図示していないホール素子とで構成されている。【００９７】
また、モータ４９の固定子は、回転子４９ａの回転軸の一方を軸受けしている第１固定子枠５５と、回転子４９ａの回転軸の他方を軸受けしている上記の第２固定子枠５１と、それらの固定子枠５５，５１の軸受け部を囲むようにして順に重ねて巻回された二つのコイル５６，５７と、コイル５７の外側から第１固定子枠５５に嵌装された筒状のヨーク５８と、第１固定子枠５５に取り付けられていて回転子４９ａの本体部４９ａ−１の周面に対向させられている図示していないホール素子とで構成されている。【００９８】
そして、図１６において、第１固定子枠５０，５５の上面に設けられているそれぞれの複数の端子は、ペアーで二組設けられている方の端子が、二つのコイル用の端子であり、１列に四つ設けられている方の端子が、ホール素子用の端子である。【００９９】
本実施例の場合、このような第２固定子枠５１は、二つのねじ５９，６０によって、カバー部材４２に固定されている。そして、その取付状態において、回転子４８ａ，４９ａの回転軸は、主軸２１ｈ，２１ｉと同軸に配置されている。また、その取付状態においては、主作動部材２２，２３の上記のピン２２ｅ，２３ｈが、図１６に示されている地板２１の長孔２１ｕ，２１ｖと、それらに重なるように形成されている第２固定子枠５１の長孔５１ａ，５１ｂを貫通して、回転子４８ａ，４９ａの長孔４８ａ−３，４９ａ−３に嵌合している。【０１００】
尚、本実施例の第２固定子枠５１は、モータ４８の第２固定子枠とモータ４９の第２固定子枠とを１部品として製作したものである。しかしながら、本発明は、第２固定子枠５１を、モータ４８，４９ごとに別々な第２固定子枠として製作しても構わない。また、本実施例では、回転子４８ａ，４９ａに長孔４８ａ−３，４９ａ−３を設け、主作動部材２２，２３にピン２２ｅ，２３ｈを設けているが、回転子４８ａ，４９ａにピンを設け、主作動部材２２，２３に長孔を設けるようにしても構わない。【０１０１】
このように構成されているモータ４８，４９は、周知のように、一方のコイル５２，５６に通電すると、回転子４８ａ，４９ａを一方へ回転させ、他方のコイル５３，５７に通電すると回転子４８，４９を他方へ回転させるようになっている。そして、回転子４８ａ，４９ａは、両者による回転力のバランスした位置で停止するようになっている。また、回転子４８ａ，４９ａの回転位置は図示していないホール素子によって常に検出されており、その検出信号によって、各々の二つのコイルに対する電流値を制御し、回転子４８ａ，４９ａを所定の方向へ回転させたり、所定の位置で停止させたりするようになっている。【０１０２】
しかしながら、電流制御式のモータの中には、本実施例のように一つのモータに二つのコイルを設けず、一つだけとし、本実施例と同様に、ホール素子によって回転子の回転位置を検出しながら電流値を制御し、回転子を所定の位置で停止させるようにしたものも知られている。そのため、本発明は、本実施例の電流制御式のモータ４８，４９を、そのような構成のモータにしても構わない。【０１０３】
次に、本実施例の作動を簡単に説明する。図１６及び図１７は、光源ランプは点灯しているが、スクリーンには画像を投影していないときである。本実施例は、このとき２枚の主分割羽根２８，２９の切欠部２８ａ，２９ａにより、光路の中心線Ｏを囲むようにして方形をした最小断面面積の光路が形成されている。そのため、スクリーンは薄暗くなっている。【０１０４】
この状態で投影が開始されると、モータ４８のコイル５２，５３と、モータ４９のコイル５６，５７に対して同時にそれぞれ所定の電流が供給される。それによって、回転子４８ａは時計方向へ回転させられ、回転子４９ａは反時計方向へ回転させられる。そのため、主作動部材２２は時計方向へ回転させられ、主作動部材２３は反時計方向へ回転させられる。そして、主作動部材２２，２３が、相反する方向へ同じ角度だけ回転させられた所定の位置に達すると、コイル５２，５３によって与えられている回転力がバランスし、且つコイル５６，５７によって与えられている回転力がバランスして、回転子４８ａ，４９ａは停止させられ、主分割羽根２８，２９の間に、所定の大きさの光路が形成される。【０１０５】
その後、主作動部材２２，２３は、投影中に、画像条件に対応して、その都度、同じ角度だけ相反する方向へ回転させられ、照明光の光量を制御することになる。図１８は、そのようにして光路を全開にした状態を示したものである。そして、投影が終了すると、回転子４８ａは反時計方向へ、回転子４９ａは時計方向へ、それぞれ強制的に回転させられ、図１６及び図１７の状態に復帰させられる。【０１０６】
尚、本実施例では、電磁アクチュエータとして、電流制御式のモータ４８，４９を用いているが、それらのモータに代えて、上記の各実施例で用いられているステッピングモータ８，３５とは異なる構成をしたステッピングモータを用いるようにしてもよい。
【実施例５】
【０１０７】
次に、図１９〜図２７を用いて実施例５を説明する。本実施例は、上記の実施例３と同様に、二つの主作動部材をリンク部材によって相互に連結したものであるが、いずれの主作動部材にも歯車部が形成されておらず、電磁アクチュエータの駆動力は、もう一つのリンク部材を介して、一方の主作動部材に伝達されるようにしたプロジェクタ用絞り装置である。【０１０８】
最初に、本実施例の構成を、主に、図１９〜図２４を用いて説明する。尚、上記したように、図１９は、各々が２枚の分割羽根を有する二つの遮光羽根によって最小の光路を形成している状態を示した斜視図であり、図２０は、図１９の状態において、地板を取り除き、その地板の外形を二点鎖線で示した斜視図である。また、図２１は、図１９と同じ状態を示した正面図であって、図２２は、図２１の上面図であり、図２３は、図２１の底面図である。そして、図２４は、図２３に示されている二つの押さえ板の外形を二点鎖線にして示した底面図である。【０１０９】
本実施例の地板６１は、合成樹脂製であって、複数の貫通した孔が形成されているほか、両面には、補強用の複数のリブや、各種の部材を取り付けるための複数の取付部などが形成されていて、全体として複雑な形状をしている。図２２〜図２４に分かり易く示されているように、地板６１には、図示していないプロジェクタの本体に組み付けるのに必要な四つの孔６１ａ，６１ｂ，６１ｃ，６１ｄが形成されている。それらのうち、二つの孔６１ａ，６１ｂは、プロジェクタ本体に設けられた図示していない位置決めピンを嵌合させるためのものであり、他の二つの孔６１ｃ，６１ｄは、図示していないねじを挿入して、地板６１をプロジェクタ本体に固定するためのものである。【０１１０】
図１９，図２０，図２２〜図２４に示されているように、本実施例の場合にも、光路の中心線を一点鎖線で示し、符号Ｏを付けてある。また、図２１においては、光路の中心線Ｏの位置を×印で示してある。このように、本実施例の場合にも、地板６１は、プロジェクタ内において、光路の上方位置に、その一方の板面を光路側にして配置されている。そのため、熱が地板６１の下方に滞留すると、地板６１の光路側に取り付けられている後述の合成樹脂製の各部材を変形させたり、ステッピングモータの性能に影響を与えたりするおそれがあるので、本実施例の場合にも、地板６１に、各種の形状をした孔６１ｅ，６１ｆ，６１ｇ，６１ｈ，６１ｉ，６１ｊ，６１ｋを形成し、光路側の熱を少しでも上方へ逃がすようにしている。また、それらのうちの幾つかの孔は、後述する部材を地板６１に取り付けるのに役立てたり、取付け状態を確認するのに役立てたりしている。【０１１１】
地板６１には，光路側の板面に、いずれも金属製である二つの主軸６１ｍ，６１ｎと二つの副軸６１ｐ，６１ｑとが立設されている。そして、本実施例の場合、主軸６１ｍと主軸６１ｎとは、地板１上において、光路の中心線Ｏに最も近くて平行である仮想線（図２２において、地板６１に対して光軸の中心線Ｏと重なるように引かれた線）の両側に、その仮想線からは略等間隔となる位置に立設されている。また、副軸６１ｐと副軸６１ｑも同様に、その仮想線からは略等間隔となる位置に立設されており、それらの相互の間隔は、二つの主軸６１ｍ，６１ｎの相互の間隔よりも大きい。【０１１２】
また、本実施例の場合にも、二つの主軸６１ｍ，６１ｎは、上記の仮想線と直交する所定の同一直線上には立設されてはおらず、図２２から分かるように、それらの軸心が、光路に沿った方向（上下方向）に相互に所定の間隔ａだけずれた位置にあるようにして立設されている。言い換えれば、主軸６１ｍと主軸６１ｎとは、それらの軸心が、上記の仮想線と直交する所定の直線を間にしてその両側に配置されるようにして立設されている、とも言える。また、副軸６１ｐと副軸６１ｑも、同様にして、上記の仮想線と直交する所定の同一直線上には立設されておらず、図２２に示されているように、各々、主軸６１ｍと主軸６１ｎに対して、光路に沿った同じ方向に相互に間隔ｂだけずれた位置に立設されている。そして、そのずれ方向は、二つの主軸６１ｍ，６１ｎの場合と同じであり、ずれ量も略同じ（ａ＝ｂ）である。【０１１３】
主軸６１ｍ，６１ｎには、合成樹脂製の主作動部材６２，６３が回転可能に取り付けられている。そして、図２４に示されているように、主作動部材６２は、主軸６１ｍから最も遠い部位に取付部６２ａを形成しており、その取付部６２ａの一部に取付軸６２ｂを形成している。また、主作動部材６２は、主軸６１ｍの近傍において、取付軸６２ｃと、取付軸６２ｄを形成している。もう一方の主作動部材６３は、主軸６１ｎから最も遠い部位に取付部６３ａを形成しており、主軸６１ｎの近傍には、取付軸６３ｂを形成し、光路側に取付軸６３ｃを形成している。そして、これらの主作動部材６２，６３の取付軸６２ｃ，６３ｂは、合成樹脂製のリンク部材６４の両端に形成された孔に、夫々回転可能に嵌合している。【０１１４】
本実施例の場合には、合成樹脂製の主作動部材６２，６３は、地板６１の光路側の面に取り付けられている。そのため、本実施例のように、両者を、リンク部材６４で連結するのではなく、実施例２における主作動部材２，３のように、両者に形成した歯車部で連結させるようにした場合には、高熱によって、それらの歯車部の歯形が変形してしまうおそれがある。しかし、本実施例の場合には、リンク部材６４で連結するようにしているので、そのような心配が全くない。【０１１５】
図２４に示されているように、副軸６１ｐ，６１ｑには、合成樹脂製の副作動部材６５，６６が回転可能に取り付けられている。そして、それらの副作動部材６５，６６は、副軸６１ｐ，６１ｑから最も遠い部位の光路側に、取付部６５ａ，６６ａを形成しており、地板６１側、即ち主作動部材６２，６３側には、取付軸６５ｂ，６６ｂを形成している。また、この副作動部材６５の取付軸６５ｂと上記の主作動部材６２の取付軸６２ｄとは、合成樹脂製のリンク部材６７の両端に形成された孔に対し、夫々回転可能に嵌合し、副作動部材６６の取付軸６６ｂと上記の主作動部材６３の取付軸６３ｃとは、合成樹脂製のリンク部材６８の両端に形成された孔に対し、夫々回転可能に嵌合している。【０１１６】
このようにして、主作動部材６２と副作動部材６５とは、リンク部材６７によって連結されていて、主作動部材６３と副作動部材６６とは、リンク部材６８によって連結されているが、各々のリンク構成は、副軸６１ｐから取付軸６５ｂまでの距離が、主軸６１ｍから取付軸６２ｄまでの距離よりも長くなっていて、副軸６１ｑから取付軸６６ｂまでの距離が、主軸６１ｎから取付け軸６３ｃまでの距離よりも長くなっている。しかも、主軸６１ｍから取付軸６２ｄまでの距離と、主軸６１ｎから取付軸６３ｃまでの距離が同じであり、副軸６１ｐから取付軸６５ｂまでの距離と、副軸６１ｑから取付軸６６ｂまでの距離が同じになっていて、取付軸６２ｄから取付軸６５ｂまでの距離と、取付軸６３ｃから取付軸６６ｂまでの距離が同じになっている。【０１１７】
そして、主軸６１ｍから取付部６２ａの中心部までの距離と、主軸６１ｎから取付部６３ａまの中心部までの距離が同じであり、副軸６１ｐから取付部６５ｂの中心部までの距離と、副軸６１ｑから取付部６６ａの中心部までの距離が同じになっている。また、図２４から分かるように、副作動部材６５，６６の取付部６５ａ，６６ａは、主作動部材６２，６３の取付部６２ａ，６３ａよりも、主軸６１ｍ，６１ｎ側に配置されるようになっている。【０１１８】
図２０及び図２１から分かるように、主作動部材６２の取付部６２ａには、金属製の主分割羽根６９が、二つのねじによって、地板６１の板面に対して垂直となるようにして取り付けられ、主作動部材６３の取付部６３ａには、金属製の主分割羽根７０が、二つのねじによって、地板６１の板面に対して垂直となるようにして取り付けられている。【０１１９】
ところで、本実施例の主分割羽根６９，７０は、非常に薄く形成されている。そのため、主分割羽根６９，７０には、図２１において、上端から下端まで直線的な折曲げ部を形成し、下方の自由端側が撓むのを防いでいる。また、この主分割羽根６９，７０は、縁が円弧状をした切欠部６９ａ，７０ａを形成していて、光路を完全に遮断しないようになっている。しかしながら、本発明は、主分割羽根６９，７０に、上記のような折曲げ部を形成することを必須としないし、切欠部６９ａ，７０ａを形成することを必須とはしない。また、切欠部６９ａ，７０ａを形成する場合であっても、縁の形状は円弧状に限定されず、実施例４における切欠部２８ａ，２９ａと同じ形状にしてもよいし、その他の形状にしてもよい。【０１２０】
尚、本実施例の場合には、主軸６１ｍ，６１ｎの相互の立設位置が光路に沿う方向にずれていて、主軸６１ｍ，６１ｎから取付部６２ａ，６３ａの各中心部までの距離が同じであるため、主分割羽根６９，７０は干渉せずに、図２４に示す状態が得られるようになっている。しかしながら、実施例２においても説明したように、このような構成ではなくても、図２４に示す状態と同等の状態を得ることは可能である。【０１２１】
即ち、主軸６１ｍ，６１ｎを、地板６１上での上記の仮想線と直交する同一直線上に立設し、主軸６１ｍから取付部６２ａの中心部までの距離よりも、主軸６１ｎから取付部６３ａの中心部までの距離を短くすると共に、副軸６１ｐ，６１ｑを、地板６１上での上記の仮想線と直交する同一直線上に立設し、副軸６１ｐから取付部６５ｂの中心部までの距離よりも、副軸６１ｑから取付部６６ｂの中心部までの距離を短くすればよいことになる。従って、そのように構成したものも、本発明の絞り装置である。【０１２２】
副作動部材６５の取付部６５ａには、金属製の副分割羽根７１が、二つのねじによって、地板６１の板面に対して垂直となるようにして取り付けられ、副作動部材６６の取付部６６ａには、金属製の副分割羽根７２が、二つのねじによって、地板６１の板面に対して垂直となるようにして取り付けられている。そして、これらの副分割羽根７１，７２の場合にも、上記の主分割羽根６９，７０の場合と同じ理由によって、類似した形状の折曲げ部が形成されている。【０１２３】
主軸６１ｍ，６１ｎの先端には、図２３においては実線で示され、図２４においては二点鎖線で示されている金属製の押さえ板７３が取り付けられている。即ち、この押さえ板７３は、小さく形成した二つの孔に、副軸６１ｐ，６１ｑの先端に形成されている小径部を挿入させておき、大きく形成された二つの孔に二つのねじを挿入し、主軸６１ｍ，６１ｎの先端に形成されたねじ穴に螺合させることによって取り付けられている。それによって、主作動部材６２，６３が主軸６１ｍ，６１ｎから抜けるのを防止し、副作動部材６５，６６が副軸６１ｐ，６１ｑから抜けるのを防止している。【０１２４】
図２０において分かり易く示されているように、主軸６１ｍ，６１ｎと副軸６１ｐ，６１ｑの各々には、付勢力の比較的弱いコイルばね７４，７５，７６，７７が巻回されている。そして、コイルばね７５は、主作動部材６３を、回転方向へ付勢していると同時に主軸６１ｎの軸方向へも付勢しており、その他のコイルばね７４，７６，７７は、夫々、主作動部材６２，副作動部材６５，６６を、各軸６１ｍ，６１ｐ，６１ｑの軸方向にだけ付勢している。そのため、コイルばね７５の付勢力によって、主作動部材６２，６３と副作動部材６５，６６は、各軸６１ｍ，６１ｎ，６１ｐ，６１ｑの径方向へのガタツキが防止され、コイルばね７４，７５，７６，７７の付勢力によって、各軸６１ｍ，６１ｎ，６１ｐ，６１ｑの軸方向へのガタツキが防止されることになって、分割羽根６９，７０，７１，７２の相対位置関係が、作動中においても停止状態においても安定するようになっている。【０１２５】
尚、本実施例においては、コイルばね７５が、主作動部材６３を回転方向へ付勢していると同時に主軸６１ｎの軸方向へも付勢しているようにしているが、このような付勢力は、コイルばね７５によって与えるのではなく、他のコイルばね７４，７６，７７のうち、いずれか一つによって与えるようにしても、同じ作用効果が得られる。【０１２６】
地板６１の光路側の面には、金属製の軸６１ｒ，６１ｓが立設されており、軸６１ｒには、合成樹脂製の回転部材７８が回転可能に取り付けられ、軸６１ｓには、合成樹脂製の２段歯車７９が回転可能に取り付けられている。そして、それらの軸６１ｒ，６１ｓの先端には、図２３においては実線で示され、図２４においては二点鎖線で示されている押さえ板８０が取り付けられている。即ち、この押さえ板８０は、小さな孔に、軸６１ｓの先端に形成された小径部を挿入させておき、大きな孔にねじを挿入し、軸６１ｒの先端に形成されたねじ穴にそのねじを螺合させることによって取り付けられ、回転部材７８と２段歯車７９とが、軸６１ｒ，６１ｓから抜けないようにしている。【０１２７】
回転部材７８は、周面に歯車部７８ａを形成しており、地板６１側の面には取付軸７８ｂと被検出部７８ｃ（図２０参照）を形成している。そして、取付軸７８ｂは、合成樹脂製のリンク部材８１の一端に設けられている孔に対し回転可能に嵌合しており、リンク部材８１の他端に設けられている孔には、上記の主作動部材６２に設けられている取付軸６２ｂが回転可能に嵌合している。従って、回転部材７８が回転すると、リンク部材８１を介して、主作動部材６２が回転部材７８とは反対方向へ回転させられ、主作動部材６２が回転すると、リンク部材６４を介して、主作動部材６３が主作動部材６２とは反対方向へ回転させられるようになっている。そして、回転部材７８の歯車部７８ａは、２段歯車７９の小さい方の歯車部に噛合している。尚、本実施例においては、回転部材７８が合成樹脂製であって歯車部７８ａを形成しているが、配置位置が、主作動部材６２よりも光路から離れているので、歯車部７８ａの歯の形状が熱によって変形させられてしまうおそれはない。【０１２８】
地板６１には、回転位置検出手段８２が取り付けられている。本実施例の回転位置検出手段８２は、発光部と受光部を有するフォトインターラプタと言われている光電センサーと、その光電センサーを取り付けたプリント配線板とからなっていて、図１９，図２０，図２２に示されているように、そのプリント配線板が、地板６１の、光路とは反対側の面に、ねじによって取り付けられている。そして、その取付け状態においては、光電センサーは光路側へ突き出ていて、回転部材７８に設けられている上記の被検出部７８ｃが、光電センサーの発光部と受光部の間の空間に出入りするようになっている。【０１２９】
また、本実施例の駆動手段である電磁アクチュエータは、ステッピングモータ８３であって、図２３及び図２４に示されているように、地板６１に対して、その回転軸を垂直にして光路側に配置されており、径方向に張り出して形成された二つの取付部を、二つのねじによって、地板６１に取り付けられている。そして、このステッピングモータ８３の出力軸に取り付けられている歯車８４（図２０参照）は、上記の２段歯車７９の大きい方の歯車部に噛合している。
このように構成されている本実施例の絞り装置は、プロジェクタに組み込まれたとき、光源は、図１９及び図２０においては左下方側、図２１においては手前側、図２２においては下方側、図２３及び図２４においては上方側に配置されていることが多い。しかしながら、プロジェクタの仕様によっては、光源が上記とは反対側に存在しているようにすることもある。
また、本実施例の絞り装置がプロジェクタに組み込まれたとき、４枚の分割羽根６９，７０，７１，７２の光源側には、通常、フライアイレンズ等のレンズが配置されている。そのため、４枚の分割羽根６９，７０，７１，７２が光路に進入しているとき、仮に、それらの羽根の光源側の面で反射した光が、そのレンズで反射されて、そのレンズを透過してきた照明光に含まれてしまうと、照明光の分布に悪影響を与えてしまうことになる。また、仮に、それらの羽根の光源側の面で反射した光が、上記のレンズを透過して光源方向へ向うと、光源の寿命に悪影響を与えてしまうことがある。しかしながら、本実施例の場合には、４枚の分割羽根６９，７０，７１，７２は、光路に対して斜めに配置されていて、それらの羽根の光源側の面に当たった光の殆どを、光路の側方へ反射するようにしているので、それらのような悪影響は全くない。【０１３０】
次に、本実施例の作動を説明する。図１９〜図２４は、４枚の分割羽根６９，７０，７１，７２によって最小の絞り開口が制御されている状態を示したものである。しかしながら、本実施例の場合には、プロジェクタの電源がオフのときや、電源がオンになっていても投影をしていないときにも、この状態になっている。【０１３１】
投影を開始するに際して、絞り装置用のスイッチをオンにし、手動又は自動で所定の光量制御状態（絞り開口制御状態）が選択されると、ステッピングモータ８３が回転させられる。それによって、ステッピングモータ８３の出力軸に取り付けてある歯車８４（図２０参照）は、図２４において、２段歯車７９を反時計方向へ回転させ、回転部材７８を時計方向へ回転させる。そのため、主作動部材６２は、リンク部材８１を介して反時計方向へ回転させられ、主作動部材６３は、主作動部材６２との間に取り付けられているリンク部材６４を介して時計方向へ回転させられる。【０１３２】
そのとき、主作動部材６２は、リンク部材６７を介して副作動部材６５を反時計方向へ回転させ、主作動部材６３は、リンク部材６８を介して副作動部材６６を時計方向へ回転させるが、主軸６１ｍ, ６１ｎから取付軸６２ｄ，６３ｃまでの距離が、副軸６１ｐ，６１ｑから取付軸６５ｂ，６６ｂまでの距離より短いから、副作動部材６５，６６の回転は、主作動部材６２，６３の回転よりも遅い。そのため、主分割羽根６９と副分割羽根７１とは重なり量を大きくしながら反時計方向へ円弧状の軌跡を描いて作動し、主分割羽根７０と副分割羽根７２とは重なり量を大きくしながら時計方向へ円弧状の軌跡を描いて作動していくことになる。【０１３３】
また、本実施例の場合には、主軸６１ｍから取付軸６２ｄまでの距離と、主軸６１ｎから取付軸６３ｃまでの距離が同じであり、副軸６１ｐから取付軸６５ｂまでの距離と、副軸６１ｑから取付軸６６ｂまでの距離が同じであって、さらに、取付軸６２ｄから取付軸６５ｂまでの距離と、取付軸６３ｃから取付軸６６ｂまでの距離が同じであることから、本実施例のように、リンク部材６４を介して、二つの主作動部材６２，６３が略同じ速度で相反する方向へ回転するようにした場合には、主分割羽根６９と副分割羽根７１の重なり量と、主分割羽根７０と副分割羽根７２の重なり量とが、対称的に変化していくことになる。【０１３４】
このようにして、所定の光量制御状態が得られると、ステッピングモータ８３の回転が停止させられ、その状態で投影が続けられる。そして、投影中に、照明光量を所定の量まで増加させる場合には、それが得られるまで、上記と同じ方向へステッピングモータ８３を回転させ、また、照明光量を所定の量まで減じる場合には、それが得られるまで、上記とは逆の方向へステッピングモータ８３を回転させることになる。図１９〜図２４は、そのようにして、照明光量を最小の値まで減じた状態を示したものでもある。【０１３５】
また、図２５〜図２７は、照明光量を最大にした状態を、図２０，図２１，図２４と同様にして示したものである。しかしながら、この状態においては、主分割羽根６９，７０は、光路の大きさを直接決める役目をしておらず、光路を全開にした直後に停止させられている。そして、本実施例の場合には、この状態は、図２５に示されているように、回転位置検出手段８２の光電センサーが、回転部材７８に設けられている被検出部７８ｃの位置を検出し、ステッピングモータ８３の回転を停止させたことによって得られている。【０１３６】
このようにして、行われた投影が終了し、絞り装置用のスイッチがオフになると、遅延回路が働いている間にステッピングモータ８３が回転し、４枚の分割羽根６９，７０，７１，７２は、図１９〜図２４に示された状態に復帰させられる。【０１３７】
尚、本実施例の場合には、主作動部材６２，６３と、副作動部材６５，６６と、リンク部材６４，６７，６８，８１と、回転部材７８とを、地板６１の光路側の面に取り付けているが、本発明は、それらを、地板６１の、光路とは反対側の面に取り付けるようにしても差し支えない。また、本実施例の絞り装置は、４枚の分割羽根６９〜７２によって、光路を完全に遮断することなく、切欠部６９ａ，７０ａによって、図１９〜図２１に示すような最小の絞り開口を形成するようにしているが、本発明は、主分割羽根６９，７０に、開口形成縁が円弧状をしている切欠部６９ａ，７０ａを形成せず、開口形成縁を直線状にして、二つの主分割羽根６９，７０の間に、上下に長いスリット状の最小絞り開口が形成されるようにしてもよい。そして、そのような構成にする場合には、本実施例のように、主分割羽根２の一部と、主分割羽根３の一部とが重なり得る構成にする必要がなくなる。【０１３８】
更に、本実施例の絞り装置は、主作動部材，副作動部材，リンク部材，主分割羽根，副分割羽根で構成される遮光手段が二組備えられていて、それらの遮光手段が、一つの電磁アクチュエータによって相反する方向へ往復作動させられるように構成されているが、本発明は、二つの作動部材６３，６６と、二つの分割羽根７０，７２と、三つのリンク部材６４，６７，６８を取り除くことによって、実施例１のように、一組の遮光手段が一つの電磁アクチュエータによって往復作動させられるように構成してもよい。また、その場合には、主分割羽根６９に切欠部６９ａを形成しないようにしてもよいし、主分割羽根６９を大きくしたり、主作動部材６２の回転可能角度を大きくしたりすることによって、最小絞り開口を小さくしたり、光路を完全に遮断できるようにしてもよい。
【産業上の利用可能性】
【０１３９】
本発明のプロジェクタ用絞り装置は、各種の発表会や営業活動の一手段として多用される、液晶パネルやＤＭＤを備えたプロジェクタのための光量制御用絞り装置として有用である。
【図１】
0005411869.tif 000002
【図２】
0005411869.tif 000003
【図３】
0005411869.tif 000004
【図４】
0005411869.tif 000005
【図５】
0005411869.tif 000006
【図６】
0005411869.tif 000007
【図７】
0005411869.tif 000008
【図８】
0005411869.tif 000009
【図９】
0005411869.tif 000010
【図１０】
0005411869.tif 000011
【図１１】
0005411869.tif 000012
【図１２】
0005411869.tif 000013
【図１３】
0005411869.tif 000014
【図１４】
0005411869.tif 000015
【図１５】
0005411869.tif 000016
【図１６】
0005411869.tif 000017
【図１７】
0005411869.tif 000018
【図１８】
0005411869.tif 000019
【図１９】
0005411869.tif 000020
【図２０】
0005411869.tif 000021
【図２１】
0005411869.tif 000022
【図２２】
0005411869.tif 000023
【図２３】
0005411869.tif 000024
【図２４】
0005411869.tif 000025
【図２５】
0005411869.tif 000026
【図２６】
0005411869.tif 000027
【図２７】
0005411869.tif 000028